(57)【要約】【課題】ラックに収容された機器の作動状況を適切に監視する。【解決手段】機器監視装置５０において、撮像装置は、撮像により得られた画像データを出力する。装着ユニット５４は、ラック１０に収容された機器を撮像できるようラック１０と機器との間にカメラ５２を装着する。装着ユニット５４は、機器の被撮像個所が移動するようカメラ５２を移動させる移動機構７０を有する。移動機構７０は。カメラ５２を水平方向に案内する水平ガイド部材７２と、鉛直方向に案内する第１鉛直ガイド部材７４および第２鉛直ガイド部材７５とを有する。装着ユニット５４は、ラック１０のドア１４に係止するためのフック８２をさらに有し、ドア１４にフック８２が係止されることによりラック１０に取り付けられる。【選択図】図１
2012142816.tif 000002
【特許請求の範囲】
【請求項１】
撮像により得られた画像データを出力する撮像装置と、
ラックに収容された機器を撮像できるよう、前記ラック前面と前記機器の前面との間、または前記ラック背面と前記機器の背面との間に、前記撮像装置を装着する装着ユニットと、
を備え、
前記装着ユニットは、前記機器の被撮像個所が移動するよう前記撮像装置を移動させる移動機構を有することを特徴とする機器監視装置。
【請求項２】
前記移動機構は、
前記撮像装置を第１の方向に案内する第１ガイド部材と、
前記撮像装置を第１の方向と非平行な第２の方向に案内する第２ガイド部材と、
を有することを特徴とする請求項１に記載の機器監視装置。
【請求項３】
前記第１ガイド部材または前記第２ガイド部材は、前記撮像装置を案内しながら前記撮像装置との接触個所を通じて前記撮像装置へ電力を供給可能に設けられることを特徴とする請求項２に記載の機器監視装置。
【請求項４】
前記装着ユニットは、前記撮像装置によって撮像され生成された画像データを伝送すべく前記撮像装置へ接続された伝送ケーブルを、前記撮像装置の移動に伴い巻き取る巻き取り機構をさらに有することを特徴とする請求項１に記載の機器監視装置。
【請求項５】
前記装着ユニットは、前記ラックに係止するためのフックをさらに有し、前記ラックに前記フックが係止されることにより前記ラックに取り付けられることを特徴とする請求項１から４のいずれかに記載の機器監視装置。
【発明の詳細な説明】
【技術分野】
【０００１】
本発明は、機器監視装置に関し、特に、ラックに収容された機器の作動状況を監視する機器監視装置に関する。
【背景技術】
【０００２】
複数の通信機器などを収容可能に構成されたラックが広く用いられている。このようなラックの多くはフロントドアが開放可能に設けられており、ユーザはこのフロントドアを開放することにより、ラック内部に収容された機器のフロントパネルに設けられたＬＥＤの点灯などを目視で確認し、機器の作動状況を把握することができる。ここで、遠隔地から機器の作動状況を監視すべく、通信機器などを収納するラックの温度、湿度、ドアの開閉状態などを監視するネットワーク環境監視装置が提案されている（例えば、特許文献１参照）。このネットワーク環境監視装置では、複数設置されたラックに各々設けられたセンサの信号を受け、ネットワークを介して接続した複数のネットワークカメラによってラックを選択的に画像監視する。
【先行技術文献】
【特許文献】
【０００３】
【特許文献１】特開２００４−６４１４５号公報
【発明の概要】
【発明が解決しようとする課題】
【０００４】
ラックのフロントドアには、パンチングメタルなどが用いられて通気用の孔が多数空いている場合がある。しかしながら、ラックの外部にカメラを設けても、このような通気用の孔を通じてラックの外部からラックの内部にあるすべての通信機器の作動状況を監視することは困難である。一方、ラックのフロントドアの裏面からラックに収容された機器のフロントパネルまでの距離は一般的に短いことから、フロントドアの裏面と機器のフロントパネルとの間にカメラを配置しても、カメラによって撮像できる領域は狭く、ラックに収容された機器すべての作動状況を監視することは困難である。
【０００５】
本発明はこうした課題に鑑みてなされたものであり、その目的は、ラックに収容された機器の作動状況を適切に監視することにある。
【課題を解決するための手段】
【０００６】
上記課題を解決するために、本発明のある態様の機器監視装置は、撮像により得られた画像データを出力する撮像装置と、ラックに収容された機器を撮像できるよう、前記ラック前面と前記機器の前面との間、または前記ラック背面と前記機器の背面との間に、撮像装置を装着する装着ユニットと、を備える。装着ユニットは、機器の被撮像個所が移動するよう撮像装置を移動させる移動機構を有する。
【０００７】
この態様によれば、まずラックと機器との間に撮像装置を配置することで、ラックと撮像個所とが干渉して撮像範囲が狭められることを回避することができる。また、撮像装置を移動可能に設けることで広い範囲で撮像することができるため、ラックに収容された機器を適切に監視することが可能となる。
【０００８】
移動機構は、撮像装置を第１の方向に案内する第１ガイド部材と、撮像装置を第１の方向と非平行な第２の方向に案内する第２ガイド部材と、を有してもよい。この態様によれば、撮像方向を２方向に移動させることができるため、ラックに収容された機器をより広い範囲で撮像することができる。
【０００９】
第１ガイド部材または第２ガイド部材は、撮像装置を案内しながら撮像装置との接触個所を通じて撮像装置へ電力を供給可能に設けられてもよい。この態様によれば、撮像装置を移動させるときの伝送ケーブルの引き回しどうするか、という問題の発生を回避できる。このため、伝送ケーブルの引き回しにかかる費用やスペースを抑制できる。
【００１０】
装着ユニットは、撮像装置によって撮像され生成された画像データを伝送すべく撮像装置へ接続された伝送ケーブルを、撮像装置の移動に伴い巻き取る巻き取り機構をさらに有してもよい。この態様によれば、撮像装置の移動に伴って伝送ケーブルが機器に当たる、または撮像装置の撮像個所を遮るなどの事態を回避することができる。
【００１１】
装着ユニットは、ラックに係止するためのフックをさらに有し、ラックにフックが係止されることによりラックに取り付けられてもよい。この態様によれば、装着ユニットを簡易にラックに取り付けることができる。
【発明の効果】
【００１２】
本発明によれば、ラックに収容された機器の作動状況を適切に監視することができる。
【図面の簡単な説明】
【００１３】
【図１】第１の実施形態に係るラックおよび機器監視装置の構成を示す図である。
【図２】図１の視点Ｐから装着ユニットを見た図である。
【図３】第２の実施形態に係る装着ユニットの構成を示す図である。
【図４】第３の実施形態に係る装着ユニットの構成を示す図である。
【発明を実施するための形態】
【００１４】
以下、図面を参照して本発明の実施の形態（以下、実施形態という）について詳細に説明する。
【００１５】
（第１の実施形態）
図１は、第１の実施形態に係るラック１０および機器監視装置５０の構成を示す図である。ラック１０は、本体１２およびドア１４を有する。本体１２は上下方向に長い箱状に形成され、複数の通信機器１６が上下方向に並んで収容可能に設けられている。本体１２は、通信機器１６を着脱するため略全面に開放する開口部が前方に設けられている。ドア１４は、閉鎖したときにラック１０の前面を構成する。ドア１４は、裏面に向かって折り返し部が端縁に設けられたプレート状に形成されている。ドア１４は、一端縁がヒンジによって回動可能に本体１２に取り付けられている。ドア１４は、閉鎖しているときに本体１２の開口部を塞ぐよう設けられる。図１は、ドア１４が開放しているときの状態を示している。
【００１６】
機器監視装置５０は、カメラ５２、装着ユニット５４、および監視制御装置５６を有する。カメラ５２は、撮像により得られた画像データを出力するよう設けられる。カメラ５２はネットワークを用いて動画の画像データを伝送可能に設けられた撮像装置であり、ネットワークカメラとも呼ばれる。なお、カメラ５２は、静止画の画像データを伝送可能に設けられてもよい。
【００１７】
監視制御装置５６は、通信機器１６と同様に本体１２の内部に収容される。なお、監視制御装置５６は、ラック１０の外部に配置されてもよい。監視制御装置５６は、各種の演算を実行するＣＰＵ、各種の制御プログラムを格納するＲＯＭ、およびデータ格納やプログラム実行のためのワークエリアとして利用されるＲＡＭを有する。監視制御装置５６は、カメラ５２によって撮像され生成された画像データを伝送すべくカメラ５２へ接続された伝送ケーブル５８に接続されている。監視制御装置５６は、さらにネットワークケーブル８８を介してネットワーク９０にも接続されている。ネットワーク９０はインターネットでもよく、ＬＡＮ（Local Area Network）、ＷＡＮ（Wide Area Network）などのある所定のエリア内でのネットワークであってもよい。
【００１８】
監視制御装置５６は、ネットワーク９０に接続されたＰＣ（Personal Computer ）９２から画像データの転送要求を受信すると、カメラ５２から画像データを受信し、ネットワークケーブル８８を介してネットワーク９０に出力する。ＰＣ９２は、監視制御装置５６から受信した画像データをディスプレイに表示させる。こうしてユーザは、ラック１０に装着された通信機器１６のポート接続状況、ランプの点灯、点滅状況などの作動状況を遠隔地から監視することができる。
【００１９】
装着ユニット５４は、ラック１０のドア１４と本体１２に収容された機器との間にカメラ５２が位置するよう、カメラ５２をラック１０に装着する。このとき装着ユニット５４は、ドア１４が閉鎖したときにラック１０に収容された機器を撮像できるようカメラ５２をラック１０に装着する。しかしながら、ドア１４の裏面と、本体１２に装着された通信機器１６の前面であるフロントパネル１６ａとの間の距離は短いため、ドア１４の裏面と通信機器１６のフロントパネル１６ａとの間にカメラ５２を配置すると、本体１２に収容されたすべての通信機器１６をカメラ５２で一度に撮像することは困難である。
【００２０】
このため第１の実施形態では、装着ユニット５４は、移動機構７０を有する。移動機構７０は、通信機器１６の被撮像個所が移動するようカメラ５２を移動させる。これにより、カメラ５２が固定されているときよりも広い撮像領域を実現することができ、本体１２に収容された通信機器１６の作動状態を適切に監視することができる。
【００２１】
移動機構７０は、水平ガイド部材７２、第１鉛直ガイド部材７４、および第２鉛直ガイド部材７５を有する。水平ガイド部材７２は水平方向に延在し、カメラ５２を水平方向に直接案内する。第１鉛直ガイド部材７４および第２鉛直ガイド部材７５は、互いに平行に鉛直方向に延在するよう設けられる。第１の実施形態では、第２鉛直ガイド部材７５は、第１鉛直ガイド部材７４よりもドア１４の回動中心に近い方に配置されている。
【００２２】
第１鉛直ガイド部材７４および第２鉛直ガイド部材７５は、水平ガイド部材７２を鉛直方向に案内することにより、水平ガイド部材７２を介してカメラ５２を鉛直方向に案内する。なお、水平ガイド部材７２、および第１鉛直ガイド部材７４、第２鉛直ガイド部材７５の案内方向はそれぞれ水平方向、鉛直方向でなくてもよく、カメラ５２を第１の方向に案内する第１ガイド部材と、カメラ５２を１の方向と非平行な第２の方向に案内する第２ガイド部材とが設けられていてもよい。
【００２３】
水平ガイド部材７２の内部には、ボールネジ（図示せず）が水平方向に延在するよう配置されている。カメラ５２にはギヤが設けられており、このギヤがボールネジに噛合している。ボールネジの一端には、ギヤ機構（図示せず）を介して第１モータ７６が接続されている。この第１モータ７６が作動することにより、水平ガイド部材７２内のボールネジが回転してカメラ５２が水平方向に移動する。
【００２４】
第１鉛直ガイド部材７４の内部には、ボールネジ（図示せず）が鉛直方向に延在するよう配置されている。水平ガイド部材７２の一端にはギヤが設けられており、このギヤがボールネジに噛合している。ボールネジの一端には、ギヤ機構（図示せず）を介して第２モータ７８が接続されている。この第２モータ７８が作動することにより、第１鉛直ガイド部材７４内のボールネジが回転して水平ガイド部材７２が鉛直方向に移動し、カメラ５２が鉛直方向に移動する。
【００２５】
第１モータ７６、および第２モータ７８は、給電ケーブル（図示せず）を介して監視制御装置５６に接続されている。第１モータ７６および第２モータ７８の各々にはステッピングモータが採用されている。監視制御装置５６は、第１モータ７６および第２モータ７８の各々に駆動信号を与えることにより第１モータ７６および第２モータ７８の各々を回転させる。監視制御装置５６は、ＰＣ９２からのカメラ５２の移動要求を受信した場合、移動させるべきカメラ５２の水平方向の距離に応じた回転数だけ第１モータ７６を回転させるよう、第１モータ７６に制御信号を与える。また監視制御装置５６は、移動させるべきカメラ５２の鉛直方向の距離に応じた回転数だけ第２モータ７８を回転させるよう、第２モータ７８に制御信号を与える。このような駆動制御方法は公知であるため詳細な説明は省略する。
【００２６】
また、装着ユニット５４には、巻き取り機構６０が設けられている。巻き取り機構６０は、カメラ５２の移動に伴い伝送ケーブル５８を巻き取る。具体的には巻き取り機構６０にはゼンマイバネが内蔵されており、このゼンマイバネの復元力によって伝送ケーブル５８を巻き取る。逆に巻き取り機構６０は、伝送ケーブル５８が引っ張られることにより、ゼンマイバネの復元力に抗して、巻き取られた伝送ケーブル５８を放出する。なお、巻き取り機構６０は、例えばモータなどのアクチュエータの駆動力によって伝送ケーブル５８を巻き取るよう設けられていてもよい。
【００２７】
水平ガイド部材７２のうちドア１４の回動中心に近い端部近傍には、ローラ８４が設けられている。また、第２鉛直ガイド部材７５の上端近傍には、引っ掛け部材８６が設けられている。伝送ケーブル５８は、巻き取り機構６０からローラ８４、引っ掛け部材８６の順に引き回され、監視制御装置５６に接続される。
【００２８】
なお、水平ガイド部材７２に給電レールを用いてもよい。これにより、水平ガイド部材７２は、カメラ５２を案内しながらカメラ５２との接触個所を通じてカメラ５２へ電力を供給することが可能となる。なお、水平ガイド部材７２だけでなく、第１鉛直ガイド部材７４および第２鉛直ガイド部材７５のいずれかにも給電レールを用いてもよい。これにより、水平ガイド部材７２を上下方向に移動させる場合においても、水平ガイド部材７２と第１鉛直ガイド部材７４または第２鉛直ガイド部材７５との接触個所を通じて水平ガイド部材７２に電力を供給することができ、カメラ５２に給電するためのケーブルをさらに削減することができる。
【００２９】
カメラ５２には、通信機器１６に光を照射するためのライト（図示せず）が取り付けられてる。このライトは監視制御装置５６に接続され、監視制御装置５６は、このライトのオンオフを制御する。監視制御装置５６は、ＰＣ９２からの点灯要求を受信したときにライトをオンにし、消灯要求を受信したときにライトをオフにする。このようにライトを設けることにより、明るく照らし出された通信機器１６のフロントパネル１６ａを撮像することができ、本体１２に収容された通信機器１６をより適切に監視することができる。
【００３０】
装着ユニット５４は、ラック１０に係止するためのフック８２をさらに有する。装着ユニット５４は、ラック１０にフック８２が係止されることによりラック１０に取り付けられる。具体的には、フック８２は２つ設けられ、２つのフック８２が、それぞれ第１鉛直ガイド部材７４の上端および第２鉛直ガイド部材７５の上端に取り付けられている。
【００３１】
図２は、図１の視点Ｐから装着ユニット５４を見た図である。フック８２はＬ字状に曲げられた板金によって形成されている。フック８２は、垂直に延在する部分が水平に延在する部分よりも下方に位置する状態で、水平に延在する部分が第１鉛直ガイド部材７４および第２鉛直ガイド部材７５にそれぞれ固定される。フック８２は、第１鉛直ガイド部材７４、および第２鉛直ガイド部材７５とともにドア１４を挟持することにより、第１鉛直ガイド部材７４および第２鉛直ガイド部材７５をドア１４に固定する。これにより、装着ユニット５４がドア１４に固定される。
【００３２】
（第２の実施形態）
図３は、第２の実施形態に係る装着ユニット１００の構成を示す図である。以下、第１の実施形態と同様の構成については同一の符号を付して説明を省略する。図３においてドア１４は、鉛直面による断面図を示している。第２の実施形態に係る装着ユニット１００は、フック８２に代えてフック１０２が設けられた以外は第１の実施形態に係る装着ユニット５４と同様に構成される。
【００３３】
フック１０２は、第１鉛直ガイド部材７４および第２鉛直ガイド部材７５の各々の、ドア１４に対向する面に取り付けられる。ラック１０のドア１４はパンチングメタルが前面に用いられている。このため、通気孔１４ａが前面に多数設けられている。フック１０２は、このような通気孔１４ａに挿入し、引っ掛けることができる大きさに設けられている。装着ユニット１００は、フック１０２が通気孔１４ａに挿入され引っ掛けられることにより、ドア１４に取り付けられる。このように通気孔１４ａに挿入可能なフック１０２を設けることにより、ドア１４のパンチングメタルに装着ユニット１００を直接取り付けることができ、ドア１４と通信機器１６との間の間隔が狭い場合においてもカメラ５２をその間隔内に適切に配置することができる。
【００３４】
なお、様々なラックの通気孔の位置に対し汎用性を持たせるため、第１鉛直ガイド部材７４および第２鉛直ガイド部材７５に多数のフック１０２が設けられていてもよい。また、第１鉛直ガイド部材７４および第２鉛直ガイド部材７５の各々に、フック１０２を着脱可能に取り付けるための複数の被取付個所が設けられ、このうちラックの通気孔の位置に合った被取付個所にフック１０２を取り付けることができるよう設けられていてもよい。これにより、様々なラックにも装着ユニット１００を取り付けることが可能となる。
【００３５】
（第３の実施形態）
図４は、第３の実施形態に係る装着ユニット１２０の構成を示す図である。以下、上述の実施形態と同様の構成については同一の符号を付して説明を省略する。図４においてドア１４は、鉛直面による断面を示している。第３の実施形態に係る装着ユニット１２０は、フック８２に代えて吸盤１２２が設けられ、さらに脱落防止プレート１２４が取り付け可能に設けられている以外は、第１の実施形態に係る装着ユニット５４と同様に構成される。
【００３６】
吸盤１２２は、第１鉛直ガイド部材７４および第２鉛直ガイド部材７５の各々の、ドア１４に対向する面に取り付けられている。ドア１４の前面における通気孔の位置はラックによって異なるため、第２の実施形態のようにフック１０２を設けてもドア１４に装着ユニットを取り付けることが困難になる場合が考えられる。このため第３の実施形態では、フックに代えて吸盤１２２が設けられている。このように第１鉛直ガイド部材７４および第２鉛直ガイド部材７５の各々に吸盤１２２を設けることにより、ドア１４の前面に通気孔が設けられていない場合においても、吸盤１２２をドア１４に吸着させることにより装着ユニット１２０をドア１４に取り付けることが可能となる。第３の実施形態では、装着ユニット１２０をドア１４に適切に固定するため、第１鉛直ガイド部材７４および第２鉛直ガイド部材７５の各々に複数の吸盤１２２が設けられている。
【００３７】
なお、吸盤１２２は長時間吸着させておくと吸着力が低下する可能性がある。このため、第１鉛直ガイド部材７４および第２鉛直ガイド部材７５には、脱落防止プレート１２４が取り付け可能に設けられている。具体的には、脱落防止プレート１２４がねじにより固定できるよう、第１鉛直ガイド部材７４および第２鉛直ガイド部材７５の各々の下端近傍および上端近傍にねじ穴が設けられている。脱落防止プレート１２４は、このねじ孔を利用して第１鉛直ガイド部材７４および第２鉛直ガイド部材７５の各々に取り付けることが可能となっている。
【００３８】
第１鉛直ガイド部材７４および第２鉛直ガイド部材７５の鉛直方向の長さは、ドア１４の上端および下端の各々における折り返し部の互いの間隔よりも短くなっている。しかし、第１鉛直ガイド部材７４および第１鉛直ガイド部材７４の上端および下端の各々に脱落防止プレート１２４を取り付けたときは、その全長がドア１４の上端および下端の各々における折り返し部の互いの間隔よりも長くなる。これにより、仮に吸盤１２２の吸着力が低下して吸盤１２２がドア１４から外れた場合においても、装着ユニット１２０の脱落を回避することができる。
【００３９】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そのような例をあげる。
【００４０】
ある変形例では、ラック１０は、閉鎖したときにラック１０の背面を構成する背面ドアが設けられる。装着ユニットは、ラック１０の背面ドアと本体１２に収容された機器の背面との間にカメラ５２が位置するよう、カメラ５２をラック１０に装着する。このとき装着ユニットは、背面ドアが閉鎖したときにラック１０に収容された機器の背面を撮像できるようカメラ５２をラック１０に装着する。装着ユニットには、通信機器１６の被撮像個所が移動するようカメラ５２を移動させる移動機構が設けられる。装着ユニットや移動機構の構成は上述の実施形態と同様である。これにより、ラック１０に収容された機器の背面も監視することが可能となる。
【符号の説明】
【００４１】
１０  ラック、  １２  本体、  １４  ドア、  １４ａ  通気孔、  １６  通信機器、  １６ａ  フロントパネル、  ５０  機器監視装置、  ５２  カメラ、  ５４  装着ユニット、  ５６  監視制御装置、  ５８  伝送ケーブル、  ６０  巻き取り機構、  ７０  移動機構、  ７２  水平ガイド部材、  ７４  第１鉛直ガイド部材、  ７５  第２鉛直ガイド部材、  ７６  第１モータ、  ７８  第２モータ、  ８２  フック、  ８８  ネットワークケーブル、  ９０  ネットワーク、  ９２  ＰＣ、  １００  装着ユニット、  １０２  フック、  １２０  装着ユニット、  １２２  吸盤、  １２４  脱落防止プレート。
【図１】
2012142816.tif 000003
【図２】
2012142816.tif 000004
【図３】
2012142816.tif 000005
【図４】
2012142816.tif 000006